(57)【特許請求の範囲】
【請求項１】
電池を電源として有し、相互に無線通信する複数の警報器から構成された無線式警報システムにおいて、
前記警報器の少なくとも一つは、
その他の警報器との無線通信の機能点検を所定のタイミングで行い、また、監視領域の異常の有無を検知する異常検知部の機能点検又は前記電池の機能点検の少なくとも一つを定期的に行い、正常又は異常を判断してその点検結果を記憶素子に記憶する機能点検部と、
前記機能点検部によって前記複数の機能点検の何れかの点検結果が異常と判定されたときに、その異常を識別可能に報知する報知手段とを備え、
前記機能点検部は、その他の警報器との無線通信の機能点検を所定のタイミングで行うときに、前記記憶素子に記憶されている前記複数の機能点検の何れかの点検結果が異常であった場合には無線通信の機能点検を実施せず、一方、前記記憶素子に記憶されている前記複数の機能点検の点検結果が異常でない場合には無線通信の機能点検を実施することを特徴とする無線式警報システム。
【請求項２】
前記報知手段は、前記機能点検部によって前記複数の機能点検の何れかの点検結果が異常と判定されたときに、重要度の高い異常として、まず前記異常検知部の異常を、次に前記電池の異常を、次に前記無線通信の異常を優先して報知し、
前記機能点検部は、その他の警報器との無線通信の機能点検を所定のタイミングで行うときに、重要度の高い異常である前記異常検知部の異常、または前記電池の異常があった場合には無線通信の機能点検を実施しないことを特徴とする請求項１記載の無線式警報システム。
【請求項３】
前記複数の警報器は、１つの親機とそれ以外の子機とによって構成され、
前記親機は、前記無線通信の機能点検を実施するときは、全ての子機に対して通信確認信号を送信し、子機からの応答信号を受信すると、当該子機との間の無線通信を正常と判断するとともに当該子機に通信完了信号を送信し、前記子機からの応答信号を受信できなければ、当該子機との間の無線通信を異常と判断し、
前記子機は、前記親機からの通信確認信号を受信すると、当該親機に対して応答信号を送信し、該応答信号の送信後に、前記親機からの通信完了信号を受信しないときには、当該親機との間の無線通信を異常と判断すること特徴とする請求項１又は２記載の無線式警報システム。
【発明の詳細な説明】
【技術分野】
【０００１】
本発明は、内蔵の電池を電源とする警報器に係わり、さらに詳しくは、同一グループ内の複数の警報器のうち何れかが異常を検知した際に、その他の警報器に異常検知情報を無線信号で伝達する無線式警報システムに関するものである。
【背景技術】
【０００２】
無線式警報システムの一例である無線式火災警報システムに用いられている警報器として、複数の警報器の間で無線通信の機能点検を定期的に行うものがある（例えば、特許文献１参照）。
一般的に、警報器は、各部の機能点検として、その他の警報器との無線通信の機能点検の他に、例えば、火災検知部や電池等の機能点検を定期的に行うものが多い。また、機能点検の結果を報知する報知手段として、警報音発生手段か表示手段があり、例えば表示手段としてはＬＥＤ等が用いられている。
【先行技術文献】
【特許文献】
【０００３】
【特許文献１】特開２００９−２８８８９８号公報（特許請求の範囲、図１）
【発明の概要】
【発明が解決しようとする課題】
【０００４】
機能点検の異常を表示している状態では、何れかの機能点検を行ったところで、機能点検の異常表示を継続することに変わりがなく、特に、機能点検を実施した分だけ電池寿命が短くなってしまい、機能点検の異常をユーザーに報知できる期間が短くなってしまうという課題があった。また、特に無線通信の機能点検を行った場合には、その他の通信妨害になる虞があった。
また、表示手段として、複数の機能点検で異常が発生している場合に、重要度の高い異常を継続して表示するものもあるが、このように重要度の高い異常が発生している状態では、仮に重要度の低い異常に関する機能点検を行っても、その点検結果を表示できないので無駄であるという課題があった。
【０００５】
本発明は、前記のような課題を解決するためになされたものであり、報知手段で機能点検の異常を報知しているときには無線通信の機能点検を行わないようにした無線式警報システムを提供することを目的とする。
【課題を解決するための手段】
【０００６】
本発明に係る無線式警報システムは、電池を電源として有し、相互に無線通信する複数の警報器から構成された無線式警報システムにおいて、警報器の少なくとも一つは、その他の警報器との無線通信の機能点検を所定のタイミングで行い、また、監視領域の異常の有無を検知する異常検知部の機能点検又は電池の機能点検の少なくとも一つを定期的に行い、正常又は異常を判断してその点検結果を記憶素子に記憶する機能点検部と、機能点検部によって複数の機能点検の何れかの点検結果が異常と判定されたときに、その異常を識別可能に報知する報知手段とを備え、機能点検部は、その他の警報器との無線通信の機能点検を所定のタイミングで行うときに、記憶素子に記憶されている複数の機能点検の何れかの点検結果が異常であった場合には無線通信の機能点検を実施せず、一方、記憶素子に記憶されている複数の機能点検の点検結果が異常でない場合には無線通信の機能点検を実施する。
【発明の効果】
【０００７】
本発明によれば、機能点検部および報知手段を有する警報器は、その他の警報器との無線通信の機能点検を所定のタイミングで行うときに、複数の機能点検のうち何れかの点検結果が異常であった場合には無線通信の機能点検を中止するようにしている。これにより、電池の寿命が短くならず、このため、機能点検の異常をユーザーに報知できる期間が長くなる。また、前述したように点検結果が異常であった場合には無線通信の機能点検を実施しないので、無線通信によるトラフィックを抑えることができ、警報システムに係る他の通信を妨げることがない。
【図面の簡単な説明】
【０００８】
【図１】実施の形態に係る無線式火災警報システムの構成を示す図である。
【図２】実施の形態の無線式火災警報システムにおける親機と子機の主要構成を示す機能ブロック図である。
【図３】点検スイッチの操作における親機の無線通信の点検動作を示すフローチャートである。
【図４】定期通信における親機の無線通信の点検動作を示すフローチャートである。
【発明を実施するための形態】
【０００９】
図１は実施の形態に係る無線式火災警報システムの構成を示す図である。
本実施の形態の無線式警報システムの一例としての無線式火災警報システム１００は、警報器である例えば１個の親機１０と３個の子機１１，１２，１３とから構成されている。図中に示す親機１０と子機１１，１２，１３の間および子機１１，１２，１３相互を結ぶ実線は、１つの同じグループ内において、無線通信により互いに通信可能であることを示している。親機１０と子機１１，１２，１３は、それぞれ火災を検知する機能および火災を検知した際に警報を発する機能を有している。親機１０と子機１１，１２，１３をグループ化して連動設定を行う場合、親機１０の設定は、例えば、電源投入後に登録ボタンを押すことで完了する。一方、子機１１，１２，１３の設定は、例えば、親機１０の登録ボタンを押して登録モードにした状態で、子機１１，１２，１３の電源投入後に登録ボタンを押すことで完了する（図示せず）。
【００１０】
図２は実施の形態の無線式火災警報システムにおける親機と子機の主要構成を示す機能ブロック図である。
図２において、親機１０と子機１１，１２，１３は、制御回路１、電池２、電源回路３、電池電圧検出回路４、送受信回路５、アンテナ６、火災検知回路７、警報音制御回路８、表示回路９および点検スイッチ２２を備えている。
【００１１】
電池２は、各回路の電源として使用されている。電源回路３は、電池２の電圧を制御回路１、送受信回路５、火災検知回路７、警報音制御回路８、表示回路９の各回路に必要な電圧にして供給する。電池電圧検出回路４は、電源回路３に印加されている電池２の電圧を検出し、検出電圧に応じた電圧検出信号を制御回路１に出力する。
【００１２】
火災検知回路７は、監視領域の異常の有無を検知する異常検知部の一例であり、火災現象に基づく煙や熱等の物理的変化を検知して検知内容に応じた信号を制御回路１に出力する。警報音制御回路８は、制御回路１からの信号に応じてブザーの鳴動、スピーカによる音声等を制御する回路である。表示回路９は、制御回路１からの信号に応じて例えば発光ダイオード（ＬＥＤ）の点灯を制御する。点検スイッチ２２は、手動にて警報器の機能点検（無線通信の機能点検）を行うときに操作される例えばプッシュ式のスイッチである。
【００１３】
送受信回路５は、無線信号を送受信するためのアンテナ６と接続されている。送受信回路５は、アンテナ６から入力された無線信号を処理し、自己宛の信号の場合には受信処理を行う。それ以外の信号の場合には受信処理を行わない。受信処理した信号は、制御回路１へ出力する。また、送受信回路５は、制御回路１からの信号を送信処理する。
【００１４】
制御回路１は、火災検知回路７からの信号に基づいて警報音制御回路８および表示回路９を制御し、ブザーや音声、ＬＥＤ等によって警報を報知する。また、制御回路１は、送受信回路５により受信された各種信号に基づいて必要な処理を行うと共に、必要に応じて送受信回路５を制御し、その他の警報器に各種信号を送信する。記憶素子２１は、例えばＥＥＰＲＯＭなどの不揮発性メモリからなっている。この記憶素子２１には、制御回路１が実行するプログラムや、自己アドレス、グループＩＤ、その他の警報器のアドレス、各種データ等が格納されている。
【００１５】
制御回路１は、本発明の機能点検部を有している。ここで、親機１０の制御回路１は、子機１１，１２，１３との無線通信の機能点検を所定のタイミング（例えば定期的なタイミングとして２０時間毎あるいは点検スイッチ２２がオンされたとき）で行い、また、火災検知回路７の機能点検および電池２の機能点検（電圧の点検）を定期的に行う。また、子機１１，１２，１３の制御回路１は、親機１０との無線通信の機能点検を所定のタイミング（例えば定期的なタイミングとしての２０時間毎あるいは点検スイッチ２２がオンされたとき）で行い、また、火災検知回路７の機能点検および電池２の機能点検（電圧の点検）を定期的に行う。なお、親機１０および子機１１，１２，１３の制御回路１は、点検スイッチ２２がオンされたときにも、火災検知回路７の機能点検および電池２の機能点検を行うようにしてもよい。
【００１６】
次に、各種の機能点検について説明する。
まず、火災検知回路７の機能点検について説明する。火災検知回路７は、例えば熱式の火災検知回路であって、固定抵抗とサーミスタ（ともに図示せず）を備えている。制御回路１は、火災検知回路７から出力される検出電圧を取得し、予め設定された断線閾値と比較することで、火災検知回路７が断線しているか否かを判断する。そして、火災検知回路７が断線していれば異常と判断し、断線していなければ正常と判断する。そして、異常を検知したときには異常結果（センサー異常）を警報音制御回路８により報知させ、その異常結果を表示回路９により表示させ、記憶素子２１に記録する。
【００１７】
次に、電池２の機能点検について説明する。制御回路１は、電池電圧検出回路４により検出された電池電圧を読み込んで予め設定された閾値と比較し、電池電圧が閾値以下のときには異常結果（電池切れ）を警報音制御回路８により報知させ、その異常結果を表示回路９により表示させ、記憶素子２１に記録する。
【００１８】
次に、無線通信の機能点検について説明する。無線通信の機能点検とは、警報器と他の警報器との間で無線信号の送受信動作が正常に行われているか否かを調べるものである。ある警報器が無線信号を送信した場合に、送信先の警報器からの応答信号を受信できるか否かを点検する。以下、具体的な動作例を説明する。
【００１９】
親機１０は、子機１１に対して無線通信の機能点検のための点検信号として、通信確認信号を送信する。子機１１は、この通信確認信号を受信すると、機能点検の応答信号を親機１０に対して送信する。親機１０は、子機１１からの応答信号を受信すると、子機１１との間の無線通信が正常に機能していると判断する。
【００２０】
ここで、親機１０は、子機１１からの応答信号を受信するまでの間、所定時間間隔で、通信確認信号を繰り返し（例えば３回）送信する。また、子機１１は、親機１０から通信確認信号を受信すると応答信号を繰り返し（例えば３回）送信する。そして、親機１０は、通信確認信号を繰り返して送信しても子機１１からの応答信号を所定時間内に受信できなければ、子機１１との間の無線通信に異常が生じていると判断する。このような動作について、親機１０および子機１１は、制御回路１の制御に基づいて行う。そして、親機１０の制御回路１は、異常を検知したときには異常結果（無線通信の異常）を警報音制御回路８により報知させ、その異常結果を表示回路９により表示させ、記憶素子２１に記録する。
【００２１】
親機１０は、上記した無線通信の機能点検を、他の子機１２、子機１３との間でも同様に行う。また、各子機１１〜子機１３も、同様にして親機１０との無線通信の機能点検を行う。なお、前述した各機能点検の点検結果が正常の場合も、その正常結果を記憶素子２１に記録する。また、点検スイッチ２２がオンされたときに限り、前述した各機能点検の点検結果が正常の場合も、正常結果を警報音制御回路８により報知させ、その正常結果を表示回路９により表示させる。
【００２２】
また、制御回路１は、他の警報器との無線通信の機能点検を所定のタイミングで行うときに、火災検知回路７の機能点検、電池２の機能点検あるいは無線通信の機能点検の何れかの点検結果が異常であった場合には、無線通信の機能点検を実施しないようにしている。無線通信の点検結果の異常は、以前に行われた無線通信の点検結果である。
【００２３】
表示回路９には、本発明の報知手段の一例として表示手段が備えられている。その表示回路９は、制御回路１によって火災検知回路７の機能点検、電池２の機能点検、無線通信の機能点検の何れかの点検結果が異常と判定されたときに、その異常を識別可能にＬＥＤの点灯を制御する。表示回路９は、点検結果が火災検知回路７のセンサー異常のときには例えば赤色のＬＥＤを３回点滅し、これを周期として繰り返し行う。また、点検結果が電池切れのときには例えば赤色のＬＥＤを１回点滅し、これを周期として繰り返し行う。さらに、点検結果が無線通信の異常のときには例えばオレンジ色のＬＥＤを所定間隔で点灯と消灯を繰り返し行う。なお、この表示回路９は、センサー異常で赤色のＬＥＤを点灯制御しているときに、電池切れが検知された場合、赤色のＬＥＤが１個であるため、その異常に応じたＬＥＤ（赤色）の点灯制御を行わない。また、センサー異常又は電池切れで赤色のＬＥＤを点灯制御しているときに、無線通信の異常が検知された場合も、その異常に応じたＬＥＤ（オレンジ色）の点灯制御を行わない。つまり、この表示回路９は、機能点検部によって複数の機能点検の何れかの点検結果が異常と判定されたときに、重要度の高い異常のみを優先して継続表示するものであり、本実施の形態では、重要度が高いほうから、センサー異常、電池切れ、無線通信異常の順となっている。また、表示回路９は、点検結果が正常のときには例えば緑色のＬＥＤを点滅させる。なお、警報音制御回路８は、制御回路１からの点検結果に基づいてセンサー異常、電池切れ、無線通信の正常又は異常を音声等にてユーザーに報知する。
【００２４】
このように構成された親機１０と子機１１、１２、１３において、火災が発生した場合の動作を説明する。
親機１０が設置された環境で火災が発生した場合、親機１０は、火災検知回路７により火災を検知し、音声やブザー、ＬＥＤ等によって警報を行うと共に、火災に関する情報を連動信号として子機１１，１２，１３にそれぞれ送信する。一方、子機１１〜子機１３は、親機１０からの連動信号が受信されたときに、音声やブザー、ＬＥＤ等によって必要な警報を行う。その後、親機１０が火災を検知しなくなると自己復旧して警報を停止すると共に、子機１１，１２，１３への連動信号の送信を停止して、子機１１，１２，１３から発せられている警報を停止させる。
【００２５】
また、例えば子機１１が設置された環境で火災が発生した場合、子機１１は、火災検知回路７により火災を検知し、音声やブザー、ＬＥＤ等によって警報を行うと共に、火災に関する情報を連動信号として親機１０と子機１２、１３にそれぞれ送信する。一方、親機１０と子機１２、１３は、子機１１からの連動信号が受信されたときに、音声やブザー、ＬＥＤ等によって必要な警報を行う。さらに、親機１０は、送信元の子機１１以外の子機１２、１３に連動信号を転送する。これによって、子機同士が離れているために、子機１１の連動信号が子機１２、１３で受信されなくても親機１０により転送された連動信号が子機１２、１３で受信される。その後、子機１１が火災を検知しなくなると自己復旧して警報を停止すると共に、親機１０と子機１２、１３への連動信号の送信を停止して、親機１０と子機１２、１３から発せられている警報を停止させる。このように、親機１０と子機１１，１２，１３は、互いに連動して警報動作を行うことで、より確実にユーザーに警報を報知することができる。
【００２６】
次に、点検スイッチ２２のオン操作で行われる親機１０の無線通信の機能点検について図３に示すフローチャートを用いて説明する。
図３は点検スイッチの操作における親機の無線通信の点検動作を示すフローチャートである。
親機１０の制御回路１は、点検スイッチ２２のオン操作を検知すると（Ｓ１）、火災検知回路７のセンサー状態（断線等）が異常か否かを記憶素子２１にアクセスして判定する（Ｓ２）。制御回路１は、センサー異常の記録がなかったときにはＳ３に移行するが、センサー異常を検知したときには、その異常結果を警報音制御回路８で警報し、異常結果（センサー異常）を表示回路９により表示させてユーザーに報知し（Ｓ９）、無線通信の機能点検を実施せずに終了する。この時、表示回路９は、赤色のＬＥＤを３回点滅し、これを周期として繰り返し行い、警報音制御回路８は、音声等にてセンサー異常を知らせる。
【００２７】
制御回路１は、センサー異常の記録がなかったときには電池切れか否かを記憶素子２１にアクセスして判定する（Ｓ３）。制御回路１は、電池切れの記録がなかったときにはＳ４に移行するが、電池切れを検知したときには、その異常結果（電池切れ）を警報音制御回路８で警報し、異常結果を表示回路９により表示させてユーザーに報知し（Ｓ９）、無線通信の機能点検を実施せずに終了する。この時、表示回路９は、赤色のＬＥＤを１回点滅し、これを周期として繰り返し行い、警報音制御回路８は、音声等にて電池切れを知らせる。なお、赤色のＬＥＤを用いてセンサー異常を表示しているときには電池切れの表示を行わない。
【００２８】
制御回路１は、電池切れの記録がなかったときには記憶素子２１にアクセスして、無線通信の異常記録があるか否かを判定する（Ｓ４）。その記録は、以前に所定の通信タイミング（例えば、自動的）で行われた無線通信の点検結果である。制御回路１は、異常が記録されているときには、その異常結果を警報音制御回路８で警報し、異常結果を表示回路９により表示させてユーザーに報知し（Ｓ９）、無線通信の機能点検を実施せずに終了する。この時、表示回路９は、オレンジ色のＬＥＤを点灯と消灯の繰り返しを所定間隔で行い、警報音制御回路８は、音声等にて無線通信の異常を知らせる。なお、赤色のＬＥＤを用いてセンサー異常又は電池切れを表示しているときには無線通信の異常を表示しない。
【００２９】
また、制御回路１は、点検スイッチ２２のオン操作を検知した際に、火災検知回路７のセンサーに異常がなく（Ｓ２）、電池切れでなく（Ｓ３）、さらに、無線通信の異常記録がないときには（Ｓ４）、各子機１１，１２，１３との相互間の無線通信の機能点検を実施することを開始し、各子機１１，１２，１３に対して通信確認信号を送信する（Ｓ５）。この場合、自己（親機）のアドレス、送信先のアドレス、グループＩＤ等を添付して送信する。制御回路１は、通信確認信号を送信した後、子機１１，１２，１３からの応答信号が受信されたか否かを判定し（Ｓ６）、同一グループ内の各子機１１，１２，１３からの応答信号を検知したときには無線通信が正常に終了したと判定して、通信完了信号を各子機１１，１２，１３にそれぞれ送信する（Ｓ７）。そして、制御回路１は、その正常結果を警報音制御回路８で警報し、正常結果を表示回路９により表示させてユーザーに報知し（Ｓ８）、無線通信の機能点検を終了する。この時、表示回路９は、例えば緑色のＬＥＤを点滅し、警報音制御回路８は、音声等にて無線通信が正常に行われたことをユーザーに知らせる。
【００３０】
また、制御回路１は、通信確認信号を送信してから、子機１１，１２，１３による応答信号を受信するまでの間、所定時間間隔で、通信確認信号を繰り返し（例えば３回）送信させる。そして、制御回路１は、通信確認信号を繰り返して送信しても子機１１，１２，１３からの応答信号を所定時間内に受信できなければ、子機１１，１２，１３との間の無線通信に異常が生じていると判断する。この時、表示回路９は、制御回路１からの制御に基づいてオレンジ色のＬＥＤを所定間隔で点灯と消灯を繰り返し、警報音制御回路８は、音声等にて無線通信の異常を知らせる。なお、前記したように、親機１０は、上記した無線通信の機能点検を、子機１１，１２，１３に対して、時間的にずらして個別に実施する。また、例えば各子機１１，１２，１３は、応答信号を規定回数送信後、親機１０からの通信完了信号が受信されないときには通信異常が発生したと判定することもできる。なお、点検スイッチ２２のオン操作で行われる子機１１，１２，１３による無線通信の機能点検については、図３の親機１０側のフローチャートとほぼ同様であり、相違点としては、ステップＳ５乃至ステップＳ７において、親機１０のみとの相互間の無線通信の機能点検をする点のみである。
【００３１】
次に、定期通信として、例えば２０時間毎に行われる親機１０の無線通信の機能点検について図４に示すフローチャートを用いて説明する。
図４は自動における親機の無線通信の点検動作を示すフローチャートである。
親機１０の制御回路１は、定期的なタイミングとして、例えば前回の無線通信の機能点検から２０時間の経過を検知すると（Ｓ１１）、前述したように、火災検知回路７のセンサー状態（断線等）が異常か否かを記憶素子２１にアクセスして判定し（Ｓ１２）、センサー異常の記録がなかったときには電池切れか否かを判定する（Ｓ１３）。制御回路１は、電池切れの記録がなかったときには記憶素子２１に無線通信の異常記録があるか否かを判定する（Ｓ１４）。制御回路１は、無線通信の異常記録がないときには各子機１１，１２，１３との定期通信を開始する（Ｓ１５）。
【００３２】
この時、制御回路１は、図３で説明したように、子機１１，１２，１３に対してそれぞれ通信確認信号を送信し、この送信により子機１１，１２，１３からの応答信号が受信されたときには、無線通信が正常に終了したと判定して通信完了信号を各子機１１，１２，１３にそれぞれ送信する。しかし、図３の説明とは異なり、その正常結果を警報音制御回路８で警報し、正常結果を表示回路９により表示させてユーザーに報知することはしない。
【００３３】
また、制御回路１は、通信確認信号を送信してから、子機１１，１２，１３による応答信号を受信するまでの間、所定時間間隔で、通信確認信号を繰り返し（例えば３回）送信させる。そして、制御回路１は、通信確認信号を繰り返して送信しても子機１１，１２，１３からの応答信号を所定時間内に受信できなければ、子機１１，１２，１３との間の無線通信に異常が生じていると判断する。そして、制御回路１は、その異常結果を警報音制御回路８で警報し、異常結果を表示回路９により表示させてユーザーに報知させる。なお、前記したように、親機１０は、上記した無線通信の機能点検を、子機１１，１２，１３に対して、時間的にずらして個別に実施する。また、例えば、各子機１１，１２，１３は、応答信号を規定回数送信後、親機１０からの通信完了信号が受信されないときには通信異常が発生したと判定することもできる。なお、定期的なタイミングで行われる子機１１，１２，１３による無線通信の機能点検については、図４の親機１０のフローチャートとほぼ同様であり、相違点としては、ステップＳ１５において、親機１０のみとの相互間の無線通信の機能点検をする点のみである。
【００３４】
以上のように実施の形態によれば、親機１０および子機１１，１２，１３が他の警報器との無線通信の機能点検を所定のタイミングで行うときに、火災検知回路７の機能点検、電池２の機能点検（電圧の点検）あるいは以前に行われた無線通信の機能点検の何れかの点検結果が異常であった場合には無線通信の機能点検を実施しないようにしている。これにより、無駄な無線通信による電池２の電圧低下を抑えることができ、このため、電池２の寿命が短くならず、機能点検の異常をユーザーに報知できる期間が長くなる。また、前述したように点検結果が異常であった場合には無線通信の機能点検を実施しないので、無駄な無線通信によるトラフィックを抑えることができ、警報システムに係わる他の通信を妨げるということがなくなる。
【００３５】
なお、実施の形態では、無線通信の機能点検を行うときに、火災検知回路７の機能点検、電池２の機能点検あるいは無線通信の機能点検の何れかの点検結果が異常であった場合には無線通信の機能点検を実施しないようにしたが、これに限定されるものではない。例えば、親機１０および子機１１，１２，１３が他の警報器との無線通信の機能点検を所定のタイミングで行うときに、無線通信の機能点検よりも重要度の高い機能点検の点検結果が異常であった場合には無線通信の機能点検を実施しないようにしても良い。この場合、本実施の形態と同様に表示回路９は、重要度の高い異常のみを優先して継続表示する。重要度の高いのものとして火災検知回路７のセンサー異常、次に電池切れによる異常、次に無線通信の異常である。
【００３６】
これは、表示回路９が、重要度の高い異常のみを優先して継続表示するものであって、重要度の高い機能点検の点検結果が異常であった場合には、無線通信の機能点検を行って異常であったとしても、その点検結果を表示できないため、無駄であることから無線通信の機能点検を実施しないようにしている。これにより、より電池２の寿命が短くならず、機能点検の異常をユーザーに報知できる期間が長くなる。
【００３７】
つまり、実施の形態では、以前の無線通信の機能点検が異常であった場合も、無線通信の機能点検を実施しないようにしたが、重要度の高い機能点検（センサー異常、電池切れ）の点検結果が異常であった場合にのみ無線通信の機能点検を行わないようにしても良い。つまり、センサー異常、電池切れでないときに、以前の無線通信の機能点検が異常であった場合、無線通信の機能点検を実施して再確認するようにする。
【００３８】
なお、実施の形態では、機能点検部によって複数の機能点検の何れかの点検結果が異常と判定されたときに、その異常を識別可能に報知する報知手段として、表示手段としての表示回路９を例に挙げて説明したが、警報音発生手段としての警報音制御回路８でもよく、その場合、警報音制御回路８を表示回路９と同様に、重要度の高い異常のみを優先して継続警報するようにするとよい。
【００３９】
また、実施の形態では、親機１０および子機１１，１２，１３の制御回路１は、無線通信の機能点検の他に実施する機能点検として、火災検知回路７の機能点検および電池２の機能点検を定期的に行うものとしたが、火災検知回路７の機能点検および電池２の機能点検の少なくとも一つを定期的に行うものとしてもよい。
【００４０】
また、実施の形態では、本発明の機能点検部を親機１０、および子機１１，１２，１３のそれぞれが備えていることを述べたが、警報器の少なくとも一つ、例えば親機１０だけが備えている構成であってもよい。
【００４１】
なお、上記説明では、熱式の火災検知回路を有する警報器に本発明を適用した場合を例に説明したが、煙式などのその他の火災検知回路を有する警報器や、ガス漏れなどその他の監視領域の異常を検知する異常検知回路を有する警報器に本発明を適用することもできる。
【符号の説明】
【００４２】
１  制御回路、２  電池、３  電源回路、４  電池電圧検出回路、５  送受信回路、６  アンテナ、７  火災検知回路、８  警報音制御回路、９  表示回路、１０  親機、１１〜１３  子機。２１  記憶素子、２２  点検スイッチ。
【図１】
0005534894.tif 000002
【図２】
0005534894.tif 000003
【図３】
0005534894.tif 000004
【図４】
0005534894.tif 000005